(57)【要約】【課題】特別な予約システムを構築することなくプロジェクターの使用予約を行い、起動せずに予約状況を確認することができるプロジェクターを提供する。【解決手段】制御手段は、プロジェクターがスタンバイ中に、入力操作手段により予約確認操作を受け付けると（ステップＳ１０１）、表示手段に予約情報の記憶内容を表示させる（ステップＳ１０３）。【選択図】図６
2015050676.tif 000002
【特許請求の範囲】
【請求項１】
画像を投写するプロジェクターであって、
時刻を計時する計時部と、
入力操作を受け付け、当該プロジェクターの使用の開始時刻および終了時刻を有する予約情報を入力する入力操作手段と、
前記予約情報を記憶する記憶手段と、
当該プロジェクターが電源オンを待機している状態において、前記記憶手段に記憶された前記開始時刻および前記終了時刻を表示する表示手段と、
当該プロジェクターが電源オンを待機している状態において、前記入力操作手段により、前記予約情報の確認操作を受け付けた場合に、前記予約情報の前記開始時刻および前記終了時刻を前記表示手段に表示させる制御手段と、
を備えたことを特徴とするプロジェクター。
【請求項２】
請求項１に記載のプロジェクターにおいて、
前記制御手段は、前記入力操作手段により、希望時間の使用の要求操作を受け付けた場合に、前記予約情報の前記開始時刻および前記終了時刻に基づき、当該プロジェクターの使用が予約されていない時間帯のうち、前記希望時間以上になる最初の時間帯における開始時刻および終了時刻を前記表示手段に表示させることを特徴とするプロジェクター。
【請求項３】
請求項１または請求項２に記載のプロジェクターにおいて、
前記制御手段は、当該プロジェクターが電源オンされたときに、前記予約情報のうち、前記開始時刻から前記終了時刻までの間、当該プロジェクターが待機状態のままだった予約情報がある場合に、所定の通知メッセージを投写させることを特徴とするプロジェクター。
【請求項４】
請求項１から請求項３のいずれか一項に記載のプロジェクターにおいて、
前記制御手段は、当該プロジェクターが電源オフの操作を受け付けた時刻から、当該時刻後の前記予約情報における前記開始時刻までの時間が所定の時間以内の場合、電源オフを保留するメッセージを表示させることを特徴とするプロジェクター。
【請求項５】
画像を投写し、表示手段を備えるプロジェクターの制御方法であって、
当該プロジェクターの使用の開始時刻および終了時刻を有する予約情報を入力する予約情報入力ステップと、
前記予約情報の予約確認操作を受け付ける確認受付ステップと、
当該プロジェクターが電源オンを待機している状態において、前記予約情報の前記開始時刻および前記終了時刻を前記表示手段に表示させる制御ステップと、
を有することを特徴とするプロジェクターの制御方法。
【発明の詳細な説明】
【技術分野】
【０００１】
本発明は、プロジェクター、およびプロジェクターの制御方法に関する。
【背景技術】
【０００２】
複数の会議スペースや教室で限られた台数のプロジェクターを共用して使用しているような場合、プロジェクターの管理が問題であった。そこで、特許文献１のようにプロジェクターなどの機器を会議室毎に集中管理する方法が知られている。この方法は使用者が会議室を予約した際に当該会議室内の機器が予約されるとともに会議室の使用時に機器がスタンバイ状態にセッティングされるというものである。
【先行技術文献】
【特許文献】
【０００３】
【特許文献１】特開平９−１２８４４６号公報
【発明の概要】
【発明が解決しようとする課題】
【０００４】
しかしながら、小規模なオフィスや学校においては、このような機器予約システムを構築、および管理するのはコスト面から問題があった。また、機器が会議室毎に固定されてしまうので会議室の数よりも少ない台数の機器を共有する場合には適さなかった。
このような予約システムを構築せずにプロジェクター本体に予約情報を登録する機能を搭載する方法が考えられるが、予約状況を確認するためには、プロジェクターを起動させ、画像が投写されるまで待たなければならない。そのため、プロジェクターの使用予約をしていない使用者が短時間だけプロジェクターを使いたいというような場合でも、空いているプロジェクターを探すために、ぞれぞれのプロジェクターを一度起動させなければならず、時間がかかるという問題があった。
【課題を解決するための手段】
【０００５】
本発明は、上述の課題の少なくとも一部を解決するためになされたものであり、以下の形態または適用例として実現することが可能である。
【０００６】
［適用例１］本適用例に係るプロジェクターは、画像を投写するプロジェクターであって、時刻を計時する計時部と、入力操作を受け付け、当該プロジェクターの使用の開始時刻および終了時刻を有する予約情報を入力する入力操作手段と、前記予約情報を記憶する記憶手段と、当該プロジェクターが電源オンを待機している状態において、前記記憶手段に記憶された前記開始時刻および前記終了時刻を表示する表示手段と、当該プロジェクターが電源オンを待機している状態において、前記入力操作手段により、前記予約情報の確認操作を受け付けた場合に、前記予約情報の前記開始時刻および前記終了時刻を前記表示手段に表示させる制御手段と、を備えたことを特徴とする。
【０００７】
本適用例によれば、特別な予約システムを構築することなく、プロジェクター単体でプロジェクター使用の予約登録を行い、プロジェクターが電源オンを待機している状態において表示手段により予約状況を確認することができる。これにより、プロジェクターを予約していない使用者が短時間だけプロジェクターを使用したいというような場合に、プロジェクターを起動することなく、予約状況を表示手段により確認することができ、プロジェクターの効率的な使用を促すことが可能となる。
【０００８】
［適用例２］上記適用例に記載のプロジェクターにおいて、前記制御手段は、前記入力操作手段により、希望時間の使用の要求操作を受け付けた場合に、前記予約情報の前記開始時刻および前記終了時刻に基づき、当該プロジェクターの使用が予約されていない時間帯のうち、前記希望時間以上になる最初の時間帯における開始時刻および終了時刻を前記表示手段に表示させることが好ましい。
【０００９】
本適用例によれば、プロジェクターを予約していない使用者が短時間だけプロジェクターを使用したいというような場合に、プロジェクターを起動することなく、希望の時間以上プロジェクターが空き状態になる最初の時刻を知ることができ、プロジェクターの効率的な使用を促すことが可能となる。
【００１０】
［適用例３］上記適用例に記載のプロジェクターにおいて、前記制御手段は、当該プロジェクターが電源オンされたときに、前記予約情報のうち、前記開始時刻から前記終了時刻までの間、当該プロジェクターが待機状態のままだった予約情報がある場合に、所定の通知メッセージを投写させることが好ましい。
【００１１】
本適用例によれば、使用予約されたにも関わらず、プロジェクターが電源オンされずに終了時刻を経過した予約情報があった場合に次回のプロジェクター起動時にメッセージを投写して通知する。これにより、使われなかった予約を行った使用者にプロジェクターを使用する予定があるかどうか確認する、使わない場合はキャンセルするよう通知するなど、プロジェクターの効率的な使用を促すことが可能となる。
【００１２】
［適用例４］上記適用例に記載のプロジェクターにおいて、前記制御手段は、当該プロジェクターが電源オフの操作を受け付けた時刻から、当該時刻後の前記予約情報における前記開始時刻までの時間が所定の時間以内の場合、電源オフを保留するメッセージを表示させることが好ましい。
【００１３】
本適用例によれば、プロジェクターの電源オフ操作を受け付けたとき所定の時間内（例えば３分）に次の使用予約がある場合に電源オフを保留するメッセージを表示する。プロジェクターは、例えば、放電型の光源を備えた構成の場合、電源オフして光源を消灯した後、ある程度の時間を置かないと光源を再点灯させることができないので、これにより電源オフせず光源を点灯させたまま、次の使用者へプロジェクターを引き継ぐことを促すことが可能となる。
【００１４】
［適用例５］本適用例に係るプロジェクターの制御方法は、画像を投写し、表示手段を備えるプロジェクターの制御方法であって、当該プロジェクターの使用の開始時刻および終了時刻を有する予約情報を入力する予約情報入力ステップと、前記予約情報の予約確認操作を受け付ける確認受付ステップと、当該プロジェクターが電源オンを待機している状態において、前記予約情報の前記開始時刻および前記終了時刻を前記表示手段に表示させる制御ステップと、を有することを特徴とする。
【００１５】
本適用例によれば、特別な予約システムを構築することなく、プロジェクター単体で予約登録を行い、プロジェクターが電源オンを待機している状態において表示手段により予約状況を確認することができる。これにより、プロジェクターを予約していない使用者が短時間だけプロジェクターを使用したいというような場合に、プロジェクターを起動することなく、予約状況を表示手段により確認することができ、プロジェクターの効率的な使用を促すことが可能となる。
【図面の簡単な説明】
【００１６】
【図１】プロジェクターの斜視図。
【図２】プロジェクターの回路構成を示すブロック図。
【図３】予約情報の設定内容を示す図。
【図４】プロジェクターの予約手順を示す図。
【図５】表示手段による予約状況の表示例を示す図。
【図６】プロジェクターがスタンバイ中に予約情報の確認操作を受け付けたときの動作を示すフローチャート。
【図７】プロジェクターがスタンバイ中に空時間確認操作を受け付けたときの動作を示すフローチャート。
【図８】プロジェクターが電源オンするときの動作を示すフローチャート。
【図９】プロジェクターが動作中に電源オフ操作を受け付けたときの動作を示すフローチャート。
【図１０】プロジェクターの通知メッセージを示す図。
【発明を実施するための形態】
【００１７】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１８】
（実施形態）
図１は実施形態に係るプロジェクター１を前方から見た斜視図である。
図１に示すように、プロジェクター１は、上面２ｔ、前面２ｆなどを有する筐体２によって装置本体が覆われた構成となっている。なお、本実施形態においては、プロジェクター１に対して、投写方向である前面２ｆ方向を前方として説明する。
【００１９】
筐体２の前面２ｆには、開口部が設けられ、この開口部の内側には、前方に向かって画像光を投写する投写レンズ１３が備えられている。
また、筐体２の上面２ｔには、使用者により入力操作が行われる複数の操作キーを備えた入力操作手段２３と、ＬＣＤ（液晶ディスプレイ）などから構成される表示手段２９とが備えられている。表示手段２９は、プロジェクター１の予約状況などを表示できるようになっている。
【００２０】
図２は、本実施形態のプロジェクター１の回路構成を示すブロック図である。
図２に示すように、プロジェクター１は、画像投写手段１０、ＯＳＤ処理手段１６、画像信号処理手段１７、画像信号入力手段１８、制御手段２０、記憶手段２１、光源制御手段２２、入力操作手段２３、表示手段２９、電源端子３０、電源部３１、バックアップ電源３２、および計時部３５等で構成されており、これらは筐体２（図１参照）の内部または外面に配置されている。
【００２１】
画像投写手段１０は、光源１１、光変調装置としての３つの液晶ライトバルブ１２Ｒ，１２Ｇ，１２Ｂ、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調して画像光を形成し、この画像光を投写レンズ１３から投写することによってスクリーンＳＣ等に画像を表示する。
【００２２】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。
光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２３】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能になっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２４】
なお、本実施形態では、画像投写手段１０は、３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２５】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。
【００２６】
記憶手段２１は、フラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。
本実施形態では記憶手段２１は、予約情報２１１が記憶される。予約情報２１１としては、プロジェクター１の使用予約に関する情報、例えば開始時刻、終了時刻、使用者名などの情報がある。
【００２７】
入力操作手段２３は、使用者がプロジェクター１に対して各種指示を行うための複数の操作キーを備えている。入力操作手段２３が備える操作キーとしては、電源のオン・オフを交互に切り替えるための電源キーや、画像信号入力手段１８に入力される複数の画像入力端子６を切り替えるための入力切替キー、各種設定を行うための設定メニューを重畳表示させるメニューキー、メニューから使用者が設定項目を選択するカーソルキー、決定キー、エスケープキー、予約情報２１１の登録を行うための予約登録キー、予約情報２１１の確認を行うための予約確認キー、空き時間検索を行うための空時間確認キー等がある。
【００２８】
使用者が入力操作手段２３の各種操作キーを操作すると、入力操作手段２３は、使用者の操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、使用者の操作内容に応じた赤外線等の操作信号を発し、リモコン信号受信手段がこれを受信して制御情報として制御手段２０に伝達する。
【００２９】
画像信号入力手段１８は、複数の画像入力端子６より、ビデオ再生装置やパーソナルコンピューター等、外部の画像出力装置から、図示しないケーブルを介して画像情報が入力される。入力された画像情報は、制御手段２０の指示に基づき、画像信号処理手段１７に出力される。なお、画像信号入力手段１８は、無線通信や光通信などの受信部を備え、外部機器から無線によって画像信号を入力する構成にしてもよい。
【００３０】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３１】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３２】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。
ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３３】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３４】
光源制御手段２２は、制御手段２０の指示に基づいて、光源１１に対する電力の供給と停止とを制御し、光源１１の点灯及び消灯を切り替える。
【００３５】
電源部３１には、電源端子３０を介してＡＣ１００Ｖ等の電力が外部から供給される。電源部３１は、入力した電力（交流電力）を所定の直流電力に変換して、プロジェクター１の各部に変換した電力を供給する。
また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００３６】
バックアップ電源３２は、ＡＣ電源により充電される二次電池などで構成され、ＡＣ電源が接続されていない状態でも計時部３５に動作可能な電力を供給する。
【００３７】
表示手段２９は、液晶ディスプレイ装置（ＬＣＤ）などから構成され、筐体２の上面２ｔに配置される。表示手段２９は、プロジェクター１がスタンバイ状態においてもＡＣ電源により動作し、予約情報２１１の記憶内容などを表示する。
【００３８】
計時部３５は、リアルタイムクロックであり、バックアップ電源３２により駆動され、時刻を計時する。制御手段２０は計時部３５より現在時刻を取得する。
【００３９】
次に、予約情報２１１の記憶内容、および設定手順について図３および図４を用いて説明する。
図３はプロジェクター１の予約情報２１１の記憶内容を例示した図であり、１週間分のタイムテーブルを表示する表示画面を示す図である。図３に示すように、複数の予約情報２１１が記憶手段２１に記憶される。
図３の例では、例えば２２日（月曜日）は、午前９時から１１時までオザワさんが、午後１時（１３時）から２時（１４時）まではヤマダさんがプロジェクターを使用予約している様子を示す。
【００４０】
図４は予約情報２１１の設定手順を示す図であり、入力操作手段２３の予約登録キー、メニュー操作などにより、予約情報２１１を入力、設定し、登録する様子を示す。
入力操作手段２３のカーソルキー等の操作により、図４に示すように、プロジェクター１の使用予約をする日時、開始時刻、終了時刻、および使用者を登録する。使用者は予めリストＬ１に登録してあるものから選択するようにしている。使用者は別途文字入力操作により入力するようにしてもよい。
【００４１】
次に、表示手段２９による、プロジェクター１の予約情報２１１の記憶内容の表示例を、図５を用いて説明する。
図５は本実施形態のプロジェクター１の表示手段２９の表示例を示す図であり、同図（ａ）は予約情報２１１がある場合の表示画面、同図（ｂ）は予約情報２１１がない場合の表示画面、同図（ｃ）は空き時間検索時の表示画面、同図（ｄ）は空き時間検索の検索結果に基づき、プロジェクター１が使用可能になる時刻の表示画面を示す図である。
プロジェクター１が入力操作手段２３による予約情報の確認操作を受け付けると、図５（ａ）に示すように、表示手段２９には、プロジェクター１の予約情報２１１の記憶内容が表示される。図５（ａ）の例では、「予約０１」として予約された使用予約日（「０７／３１」）、開始時刻（「１０：００」）、終了時刻（「１１：３０」）などが表示される。
【００４２】
また、表示手段２９には、入力操作手段２３による操作時直近の時刻に予約された予約情報２１１の記憶内容が表示される。そして、複数の予約情報２１１が記憶されている場合は、カーソルキーの操作などで、前後の予約情報２１１の記憶内容が表示される。なお、記憶手段２１に予約情報２１１が１つも記憶されていない場合は、図５（ｂ）に示すように予約情報２１１がないことを示す画面が表示される。
【００４３】
プロジェクター１が入力操作手段２３による空き時間検索操作を受け付けると、図５（ｃ）に示すように、表示手段２９には、使用者がプロジェクター１を使用したい希望時間を入力するための画面が表示される。図５（ｃ）の例では希望時間が１時間の場合を示した図であり、カーソルキー操作などにより例えば３０分単位で希望時間を入力することができる。
使用者により希望時間が入力されると、図５（ｄ）に示すように、入力した希望時間だけ使用可能となる時刻、即ち使用予約が入っていない時間帯における最初の時刻（開始時刻、「１１：００」）と、この開始時刻から希望時間後の時刻、即ち終了時刻（「１２：００」）とが表示される。具体的には、希望時間が入力された現在時刻から直近の予約情報２１１の開始時刻までの時間が希望時間以上であれば現在時刻と、現在時刻から希望時間後の時刻とが表示される。そして、現在時刻から直近の予約情報２１１の開始時刻までの時間が希望時間未満で、複数の予約情報２１１の間の時間が希望時間以上であれば、前の予約情報２１１の終了時刻が使用可能となる最初の時刻（開始時刻）として表示される。
このように、制御手段２０は、入力操作手段２３により、希望時間の使用の要求操作を受け付けた場合に、予約情報２１１の開始時刻および終了時刻に基づき、プロジェクター１の使用が予約されていない時間帯のうち、希望時間以上になる最初の時間帯における使用可能時刻（開始時刻および終了時刻）を表示手段２９に表示させる。
【００４４】
次に、本実施形態のプロジェクター１の動作を説明する。
プロジェクター１には、前述したように、入力操作手段２３の予約登録キー、メニュー操作などにより、予約情報２１１が入力される（予約情報入力ステップ）。
図６から図９は、プロジェクター１の動作を説明するためのフローチャートである。具体的に、図６はプロジェクター１がスタンバイ中に予約情報の確認操作を受け付けたときの動作、図７はプロジェクター１がスタンバイ中に空き時間の確認操作を受け付けたときの動作、図８はプロジェクター１が電源オンするときの動作、図９はプロジェクター１が動作中に電源オフ操作を受け付けたときの動作を示すフローチャートである。
また、図１０は通知メッセージを示す図であり、同図（ａ）はプロジェクターが電源オンしたときに使用されなかった予約情報があったことを通知するメッセージ、同図（ｂ）は電源オフ操作時に、次の予約情報の開始時刻までの時間が短いために電源オフを保留することを通知するメッセージである。
【００４５】
［スタンバイ中に予約情報の確認操作を受け付けたときの動作］
図６に示すように、プロジェクター１がスタンバイ中に入力操作手段２３の予約確認キーにより予約情報２１１の確認操作を受け付けると（ステップＳ１０１）、ステップＳ１０２に遷移する。ステップＳ１０１が確認受付ステップに相当する。
【００４６】
ステップＳ１０２において制御手段２０は、記憶手段２１に予約情報２１１が記憶されているか否かを調べる。予約情報２１１が記憶されている場合（ステップＳ１０２：Ｙ）には、ステップＳ１０３に遷移する。予約情報２１１が記憶されていない場合（ステップＳ１０２：Ｎ）には、ステップＳ１０６に遷移する。
【００４７】
ステップＳ１０３において制御手段２０は、記憶手段２１から直近の予約情報２１１の記憶内容を取得し、表示手段２９に開始時刻、終了時刻、使用者名を表示させ（図５（ａ）参照）、ステップＳ１０４に遷移する。ステップＳ１０２、およびステップＳ１０３が制御ステップに相当する。
【００４８】
ステップＳ１０４において制御手段２０は、入力操作手段２３のカーソルキー操作などにより、次または前の予約情報２１１の表示操作を受け付けたか否かを調べる。次または前の予約情報２１１の表示操作を受け付けた場合（ステップＳ１０４：Ｙ）には、ステップＳ１０５に遷移する。次または前の予約情報２１１の表示操作を受け付けなかった場合、即ち終了操作を受け付けた場合（ステップＳ１０４：Ｎ）には、ステップＳ１０７に遷移する。
【００４９】
ステップＳ１０５において制御手段２０は、記憶手段２１に記憶された、次または前の予約情報２１１の記憶内容を取得し、表示手段２９に開始時刻、終了時刻、使用者名を表示させ（図５（ａ）参照）、ステップＳ１０４に遷移する。このとき、予約情報が一つのみの場合には、表示は変更せず、ステップＳ１０４に遷移する。
【００５０】
ステップＳ１０６において制御手段２０は、記憶手段２１に予約情報２１１が一つも記憶されていないことを示す画面（図５（ｂ）参照）を表示手段２９に表示させ、ステップＳ１０７に遷移する。
【００５１】
ステップＳ１０７において、本動作フローを終了し、スタンバイ状態を継続する。
【００５２】
［スタンバイ中に空き時間の確認操作を受け付けたときの動作］
図７に示すように、プロジェクター１がスタンバイ中に入力操作手段２３の空時間確認キーによる空き時間の確認操作を受け付けると（ステップＳ２０１）、ステップＳ２０２に遷移する。
【００５３】
ステップＳ２０２において制御手段２０は、入力操作手段２３のキー操作により、使用者の希望するする希望時間の入力を受け付け、ステップＳ２０３に遷移する。このときの希望時間は表示手段２９に表示される（図５（ｃ）参照）。
【００５４】
ステップＳ２０３において制御手段２０は、入力操作手段２３による操作時直近の時刻に予約された予約情報２１１の記憶内容を取得し、ステップＳ２０４に遷移する。
【００５５】
ステップＳ２０４において制御手段２０は、計時部３５から取得した現在時刻、および予約情報２１１の記憶内容に基づき、現在時刻から開始時刻までの時間が希望時間以上か否かを調べる。開始時刻までの時間が希望時間以上の場合（ステップＳ２０４：Ｙ）には、現在時刻を使用可能時刻とし（ステップＳ２０７）、ステップＳ２０９に遷移する。一方、開始時刻までの時間が希望時間より短い場合（ステップＳ２０４：Ｎ）には、ステップＳ２０５に遷移する。
【００５６】
ステップＳ２０５において制御手段２０は、次の予約情報２１１があるか否かを調べる。次の予約情報２１１がある場合（ステップＳ２０５：Ｙ）には、ステップＳ２０６に遷移する。一方、次の予約情報２１１がない場合（ステップＳ２０５：Ｎ）には、現在の終了時刻を使用可能時刻とし（ステップＳ２０８）、ステップＳ２０９に遷移する。
ステップＳ２０６において制御手段２０は、現在の予約情報２１１の使用終了時刻から、次の予約情報２１１の開始時刻まで希望時間以上あるか否かを調べる。次の開始時刻まで希望時間以上の場合（ステップＳ２０６：Ｙ）には、現在の終了時刻を使用可能時刻とし（ステップＳ２０８）、ステップＳ２０９に遷移する。一方、次の開始時刻まで希望時間より短い場合（ステップＳ２０６：Ｎ）には、次の予約情報２１１を取得し（ステップＳ２０６１）、ステップＳ２０５を繰り返す。
【００５７】
ステップＳ２０９において制御手段２０は、使用可能時刻を表示手段２９に表示させ（図５（ｄ）参照）、ステップＳ２１０に遷移する。
【００５８】
ステップＳ２１０において、本動作フローを終了し、スタンバイ状態を継続する。
【００５９】
［電源オン時の動作］
図８に示すように、プロジェクター１がスタンバイ状態において、入力操作手段２３の電源キーなどにより、プロジェクター１の起動操作を受け付けると（ステップＳ３０１）、ステップＳ３０２に遷移する。
【００６０】
ステップＳ３０２において制御手段２０は、光源制御手段２２により光源１１を点灯させ、ステップＳ３０３に遷移する。
【００６１】
ステップＳ３０３において制御手段２０は、記憶手段２１より全ての予約情報２１１を取得し、ステップＳ３０４に遷移する。
【００６２】
ステップＳ３０４において制御手段２０は、ステップＳ３０３において取得した予約情報２１１のうち、使用されなかった予約情報２１１があるか否かを調べる。具体的には、終了時刻が現在時刻より前の予約情報２１１があるか否かを調べる。使用されなかった予約情報２１１がある場合（ステップＳ３０４：Ｙ）には、ステップＳ３０５に遷移する。使用されなかった予約情報２１１がない場合（ステップＳ３０４：Ｎ）には、ステップＳ３０６に遷移する。
【００６３】
ステップＳ３０５において制御手段２０は、ステップＳ３０４において調べた、使用されなかった予約情報２１１の記憶内容を所定時間、またはキー入力のよる確認操作があるまで投写させ（図１０（ａ）参照）、ステップＳ３０６に遷移する。
【００６４】
ステップＳ３０６において、制御手段２０は、画像の投写を開始させ、本動作フローを終了する。
【００６５】
［電源オフ操作を受け付けたときの動作］
図９に示すように、プロジェクター１が動作中に入力操作手段２３の電源キー操作などにより、電源オフ操作を受け付けると（ステップＳ４０１）、ステップＳ４０２に遷移する。
【００６６】
ステップＳ４０２において制御手段２０は、記憶手段２１に記憶された予約情報２１１のうち、使用済みの予約、即ち、終了時刻が現在時刻より前の予約情報２１１を削除する。次に、ステップＳ４０３に遷移する。
【００６７】
ステップＳ４０３において制御手段２０は、次の予約情報２１１があるか否かを調べる。次の予約情報２１１がある場合（ステップＳ４０３：Ｙ）には、ステップＳ４０４に遷移する。次の予約情報２１１がない場合（ステップＳ４０３：Ｎ）には、ステップＳ４０７に遷移する。
【００６８】
ステップＳ４０４において制御手段２０は、現在時刻から次の予約情報２１１の開始時刻まで、所定の時間Ｔ１（例：３分）以上あるか否かを調べる。次の予約情報２１１の開始時刻までの時間がＴ１以上の場合（ステップＳ４０４：Ｙ）には、ステップＳ４０７に遷移する。次の予約情報２１１の開始時刻までの時間が所定の時間Ｔ１より短い場合（ステップＳ４０４：Ｎ）には、ステップＳ４０５に遷移する。
【００６９】
ステップＳ４０５において制御手段２０は、次の開始時刻までの時間が所定の時間Ｔ１以下なので電源オフ保留を通知する画面を投写させ（図１０（ｂ）参照）、ステップＳ４０６に遷移する。
【００７０】
ステップＳ４０６において制御手段２０は、ステップＳ４０５で投写した通知画面に対し、強制的に電源をオフする操作を受け付けたか否かを調べる。強制電源オフ操作を受け付けた場合（ステップＳ４０６：Ｙ）ステップＳ４０７に遷移する。強制電源オフ操作を受け付けない場合（ステップＳ４０６：Ｎ）には、ステップＳ４０９に遷移する。
【００７１】
ステップＳ４０７において制御手段２０は、光源制御手段２２により、光源１１を消灯させ、ステップＳ４０８に遷移する。
【００７２】
ステップＳ４０８において制御手段２０は、プロジェクター１をスタンバイ状態に移行させ、本動作フローを終了する。
【００７３】
ステップＳ４０９において、本動作フローを終了し、電源オフ操作を受け付ける前の状態、つまり光源１１の点灯を維持し、画像の投写状態を継続する状態に戻る。
【００７４】
上述した実施形態によれば、以下の効果を得られる。
本実施形態のプロジェクター１によれば、特別な予約システムを構築することなく、プロジェクター１単体で予約登録を行い、プロジェクター１が電源オンを待機している状態において、表示手段２９により予約状況を確認することができる。
これにより、プロジェクター１を予約していない使用者が短時間だけプロジェクター１を使用したいというような場合に、プロジェクター１を起動することなく、予約状況を表示手段２９により確認することができ、プロジェクター１の効率的な使用を促すことが可能となる。
【００７５】
また、プロジェクター１を予約していない使用者が短時間だけプロジェクター１を使用したいというような場合に、プロジェクター１を起動することなく、希望の時間以上プロジェクター１が空き状態になる最初の時刻を知ることができ、プロジェクターの効率的な使用を促すことが可能となる。
【００７６】
また、使用予約されたにも関わらず、プロジェクター１が電源オンされずに終了時刻を経過した予約情報２１１があった場合に次回のプロジェクター１起動時にメッセージを投写して通知する。これにより、使われなかった予約を行った使用者にプロジェクターを使用する予定があるかどうか確認する、使わない場合はキャンセルするよう通知するなど、プロジェクター１の効率的な使用を促すことが可能となる。
【００７７】
また、プロジェクター１の電源オフ操作を受け付けたとき所定の時間内（例えば３分）に次の予約情報がある場合に電源オフを保留する通知メッセージを表示する。光源ランプ１１ａを使ったプロジェクター１は電源オフして光源１１を消灯した後、ある程度の時間が経過しないと光源１１を再点灯させることができないので、これにより電源オフせず光源１１を点灯させたまま、次の使用者へプロジェクター１を引き継ぐことを促すことが可能となる。
【００７８】
また、上記実施形態は、以下のように変更してもよい。
（変形例１）
上述した実施形態において、バックアップ電源３２が表示手段２９を駆動し、ＡＣ電源が接続されていない状態でも、表示手段２９によりプロジェクター１の予約情報２１１を確認できるようにしてもよい。
【００７９】
（変形例２）
上述した実施形態において、プロジェクター１の空き時間を検索したとき、使用可能時刻を開始時刻、開始時刻から希望時間経過後を終了時刻として予約情報を登録するようにしてもよい。このとき使用者名は空白または「ゲスト」としてもよい。これにより、プロジェクター１を起動せずに予約情報２１１を登録するとともに、使用可能時刻までの間に他の使用者により、プロジェクター１が予約されてしまうことを防止することができる。
【符号の説明】
【００８０】
１…プロジェクター、６…画像入力端子、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２１…記憶手段、２１１…予約情報、２２…光源制御手段、２３…入力操作手段、２９…表示手段、３０…電源端子、３１…電源部、３２…バックアップ電源、３５…計時部。
【図１】
2015050676.tif 000003
【図２】
2015050676.tif 000004
【図３】
2015050676.tif 000005
【図４】
2015050676.tif 000006
【図５】
2015050676.tif 000007
【図６】
2015050676.tif 000008
【図７】
2015050676.tif 000009
【図８】
2015050676.tif 000010
【図９】
2015050676.tif 000011
【図１０】
2015050676.tif 000012